(57)【特許請求の範囲】
【請求項１】
床パネル本体と、この床パネル本体表面に貼付された防水シ−トとを備えてなる床パネルを、水上から水下へと向かう排水方向に連続的な水勾配を成すように並列して構成される防水床の構造において、
前記排水方向に隣り合う前記床パネルは、その間に連結用床パネルを挟んで連結され、
前記連結用床パネルの躯体を構成する連結用床パネル本体の厚さは、およそ、前記床パネル本体の厚さから前記防水シ−トの厚さを減じた寸法に設定され、
前記床パネル本体表面に貼付された防水シ−トは、この床パネル本体の端部よりも前記連結用床パネル側に延出していること
を特徴とする防水床の構造。
【請求項２】
請求項１記載の防水床の構造において、
前記床パネル本体表面に貼付された防水シ−トは、この床パネル本体の端部よりも前記連結用床パネル側に、およそ、この連結用床パネルの排水方向の長さだけ延出していること
を特徴とする防水床の構造。
【請求項３】
請求項１記載の防水床の構造において、
前記連結用床パネル本体表面の水上側縁部および水下側縁部とには、それぞれ前記防水シ−トの厚さとほぼ同じ厚さに形成されたスペ−サが貼付され、
前記床パネル本体表面に貼付された防水シ−トは、この床パネル本体の端部よりも前記連結用床パネル側に、およそ、この連結用床パネルの排水方向の長さから前記スペ−サの排水方向の長さを減じた寸法だけ延出していること
を特徴とする防水床の構造。
【請求項４】
請求項１記載の防水床の構造において、
前記連結用床パネル本体表面には、その全面に前記防水シ−トが貼付され、
前記床パネル本体表面に貼付された防水シ−トは、この床パネル本体の端部よりも前記連結用床パネル側に、およそ、この連結用床パネルの排水方向の長さの半分だけ延出していること
を特徴とする防水床の構造。
【請求項５】
床パネル本体と、この床パネル本体表面に貼付された防水シ−トとを備えてなる床パネルを、水上から水下へと向かう排水方向に連続的な水勾配を成すように並列して構成される防水床の構造において、
前記排水方向に隣り合う前記床パネルは、その間に連結用床パネルを挟んで連結され、
前記連結用床パネルの厚さおよび同連結用床パネルの水下側に隣接する前記床パネルの床パネル本体の厚さは、およそ、同連結用床パネルの水上側に隣接する前記床パネルの床パネル本体の厚さから前記防水シ−トの厚さを減じた寸法以下に設定され、
前記連結用床パネルの水下側に隣接する前記床パネルの床パネル本体表面に貼付された防水シ−トは、この床パネル本体の端部よりも前記連結用床パネル側に、およそ、この連結用床パネルの排水方向の長さだけ延出しているとともに、前記連結用床パネルの水上側に隣接する前記床パネルの床パネル本体表面に貼付された防水シ−トは、この床パネル本体の端部よりも前記連結用床パネル側に所定の長さだけ延出していること
を特徴とする防水床の構造。
【発明の詳細な説明】
【０００１】
【発明の属する技術分野】
本発明は、主として建築物のバルコニ−などに設置される防水床の構造に関する。
【０００２】
【背景の技術】
あらかじめ工場において、床パネル本体の表面に防水シ−トが予め貼付された状態に生産された床パネルを、工事現場に搬入し、この床パネルを並列して、バルコニ−などの防水床を構成すると、工事現場で床パネル本体に防水シ−トを貼付する作業を省略することができ、工期の短縮や施工費の削減を図ることができる。
【０００３】
このような防水床の例として、特許第３０２０２９８号公報および特許第３０４３１５１号公報に開示された技術がある。これらは、複数枚の床パネルを、水上から水下へと排水方向に連続的な水勾配を成すように並列して、バルコニ−の防水床を構成するものである。
この技術においては、床パネルを並列したのち、隣り合う床パネルの間において、水上側の床パネルの防水シ−トを、水下側の床パネルの防水シ−トの上に重ね合わせるなどの防水処理を行う必要がある。すると、この防水処理部位が、他の床パネルの表面より防水シ−トの厚さ分だけ突出したりして、床面の意匠性を損なうという問題があった。また、この防水処理に手間を要していた。
そこで、この防水処理を簡便に行えるとともに、意匠性が良好な、防水床の構造が必要とされていた。
【０００４】
【発明が解決しようとする課題】
本発明の課題は、床パネル本体の表面に防水シ−トが予め貼付された床パネルを並列して防水床を構成する際、排水方向に隣り合う床パネルの間の防水処理を簡便に行えるとともに、良好な床面の意匠性が得られる、防水床の構造を提供することである。
【０００５】
【課題を解決するための手段】
上記の課題を解決するため、請求項１記載の発明は、例えば図１〜図４に示すように、床パネル本体３１と、この床パネル本体３１表面に貼付された防水シ−ト５１とを備えてなる床パネル１１〜１３を、水上から水下へと向かう排水方向Ｄに連続的な水勾配を成すように並列して構成される防水床１〜３の構造において、
前記排水方向Ｄに隣り合う前記床パネル１１〜１３は、その間に連結用床パネル２１〜２３を挟んで連結され、
前記連結用床パネル２１〜２３の躯体を構成する連結用床パネル本体４１の厚さ４１Ｔは、およそ、前記床パネル本体３１の厚さ３１Ｔから前記防水シ−ト５１の厚さ５１Ｔを減じた寸法（３１Ｔ−５１Ｔ）に設定され、
前記床パネル本体３１表面に貼付された防水シ−ト５１は、この床パネル本体３１の端部よりも前記連結用床パネル２１〜２３側に延出していること
を特徴とする。
この防水床１〜３の構造は、主として建築物のバルコニ−などに設置されるものである。
【０００６】
この請求項１記載の発明によれば、排水方向Ｄに隣り合う床パネル１１〜１３は、その間に連結用床パネル２１〜２３を挟んで連結され、連結用床パネル２１〜２３の躯体を構成する連結用床パネル本体４１の厚さ４１Ｔは、およそ、床パネル本体３１の厚さ３１Ｔから防水シ−ト５１の厚さ５１Ｔを減じた寸法（３１Ｔ−５１Ｔ）に設定され、また、床パネル本体３１表面に貼付された防水シ−ト５１は、この床パネル本体３１の端部よりも連結用床パネル２１〜２３側に延出しているので、連結用床パネル２１〜２３の排水方向Ｄ両側に位置する床パネル本体３１の端部より延出した防水シ−ト５１を、連結用床パネル本体４１の上面において重ね合わせることで、排水方向Ｄに隣り合う床パネル１１〜１３の間の防水処理を簡便に行える。
また、連結用床パネル本体４１の厚さ４１Ｔは、およそ、その排水方向Ｄ両側に位置する床パネル本体３１の厚さ３１Ｔから防水シ−ト５１の厚さ５１Ｔを減じた寸法（３１Ｔ−５１Ｔ）に設定されているので、上記のように連結用床パネル本体４１の上面において２枚の防水シ−ト５１を重ね合わせることで、防水床１〜３の表面をほぼ平滑に仕上げることができる。
【０００７】
請求項２記載の発明は、例えば図２に示すように、請求項１記載の防水床１の構造において、
前記床パネル本体３１表面に貼付された防水シ−ト５１は、この床パネル本体３１の端部よりも前記連結用床パネル２１側に、およそ、この連結用床パネル２１の排水方向の長さ２１Ｗだけ延出していること
を特徴とする。
【０００８】
この請求項２記載の発明によれば、請求項１と同様の効果が得られるとともに、床パネル本体３１表面に貼付された防水シ−ト５１は、この床パネル本体３１の端部よりも連結用床パネル２１側に、およそ、この連結用床パネル２１の排水方向の長さ２１Ｗだけ延出しているので、連結用床パネル２１の構造を連結用床パネル本体４１のみとし、連結用床パネル本体４１上面の排水方向の長さ２１Ｗ全幅にわたって、連結用床パネル２１の排水方向Ｄ両側に位置する床パネル本体３１の端部より延出した２枚の防水シ−ト５１を重ね合わせることができる。
したがって、連結用床パネル２１が簡単な構造となるとともに、排水方向Ｄに隣り合う床パネル１１の間の防水処理を簡便に行うことができ、防水床１の材料費および施工費が小さくて済む。
【０００９】
請求項３記載の発明は、例えば図３に示すように、請求項１記載の防水床２の構造において、
前記連結用床パネル本体４１表面の水上側縁部および水下側縁部とには、それぞれ前記防水シ−ト５１の厚さ５１Ｔとほぼ同じ厚さ５２Ｔに形成されたスペ−サ（防水シ−ト）５２が貼付され、
前記床パネル本体３１表面に貼付された防水シ−ト５１は、この床パネル本体３１の端部よりも前記連結用床パネル２２側に、およそ、この連結用床パネル２２の排水方向の長さ２２Ｗから前記スペ−サ５２の排水方向の長さ５２Ｗを減じた寸法（２２Ｗ−５２Ｗ）だけ延出していること
を特徴とする。
ここで、スペ−サ５２として、床パネル本体３１表面に貼付された防水シ−ト５１を使用してもよい。
【００１０】
この請求項３記載の発明によれば、請求項１と同様の効果が得られるとともに、床パネル本体３１表面に貼付された防水シ−ト５１は、この床パネル本体３１の端部よりも連結用床パネル２２側に、およそ、この連結用床パネル２２の排水方向の長さ２２Ｗからスペ−サ５２の排水方向の長さ５２Ｗを減じた寸法（２２Ｗ−５２Ｗ）だけ延出しているので、連結用床パネル本体４１上面のうちスペ−サ５２が貼付されていない、幅（２２Ｗ−５２Ｗ×２）の部分にわたって、連結用床パネル２２の排水方向Ｄ両側に位置する床パネル本体３１の端部より延出した２枚の防水シ−ト５１を重ね合わせた状態で、防水床２の表面がほぼ平滑に仕上がる。
また、連結用床パネル本体４１表面の水上側縁部および水下側縁部とには、それぞれ防水シ−ト５１の厚さ５１Ｔとほぼ同じ厚さ５２Ｔに形成されたスペ−サ５２が貼付されているので、連結用床パネル２２の水上側縁部および水下側縁部の厚さ（４１Ｔ＋５２Ｔ）≒（４１Ｔ＋５１Ｔ）が、この排水方向Ｄ両側に位置する床パネル本体３１の厚さ３１Ｔとほぼ等しくなる。
したがって、床パネル１２と連結用床パネル２２とを並べて設置する際、隣接する床パネル１２と連結用床パネル２２の高さ方向の位置を簡便に合わせることができ、防水床２の施工が簡略化されるとともに、防水床２の表面の平滑性を高めることができる。
【００１１】
請求項４記載の発明は、例えば図４に示すように、請求項１記載の防水床３の構造において、
前記連結用床パネル本体４１表面には、その全面に前記防水シ−ト５１が貼付され、
前記床パネル本体３１表面に貼付された防水シ−ト５１は、この床パネル本体３１の端部よりも前記連結用床パネル２３側に、およそ、この連結用床パネル２３の排水方向の長さ２３Ｗの半分（２３Ｗ／２）だけ延出していること
を特徴とする。
ここで、連結用床パネル４０の上面において、この連結用床パネル４０の排水方向Ｄ両側に位置する床パネル本体３１の端部より延出した防水シ−ト５１どうしの突合せ部分に、必要に応じて、溶着処理やコ−キングを施してもよい。
【００１２】
この請求項４記載の発明によれば、請求項１と同様の効果が得られるとともに、連結用床パネル本体４１表面には、その全面に前記防水シ−ト５１が貼付され、床パネル本体３１表面に貼付された防水シ−ト５１は、この床パネル本体３１の端部よりも前記連結用床パネル２３側に、およそ、この連結用床パネル２３の排水方向の長さ２３Ｗの半分（２３Ｗ／２）だけ延出しているので、連結用床パネル本体４１表面の全面に貼付された防水シ−ト５１に、連結用床パネル２３の排水方向Ｄ両側に位置する床パネル本体３１の端部より延出した防水シ−ト５１をそれぞれ重ね合わせた状態で、防水床３の表面がほぼ平滑に仕上がる。
また、連結用床パネル本体４１表面には、その全面に前記防水シ−ト５１が貼付されているので、連結用床パネル２３の水上側縁部および水下側縁部の厚さ（４１Ｔ＋５２Ｔ）≒（４１Ｔ＋５１Ｔ）が、この排水方向Ｄ両側に位置する床パネル本体３１の厚さ３１Ｔとほぼ等しくなる。
したがって、床パネル１３と連結用床パネル２３とを並べて設置する際、隣接する床パネル１３と連結用床パネル２３の高さ方向の位置を簡便に合わせることができ、防水床３の施工が簡略化されるとともに、防水床３の表面の平滑性を高めることができる。
【００１３】
請求項５記載の発明は、例えば図１、図５に示すように、床パネル本体３２，３３と、この床パネル本体３２，３３表面に貼付された防水シ−ト５１とを備えてなる床パネル１４，１５を、水上から水下へと向かう排水方向Ｄに連続的な水勾配を成すように並列して構成される防水床４の構造において、
前記排水方向Ｄに隣り合う前記床パネル１４，１５は、その間に連結用床パネル２４を挟んで連結され、
前記連結用床パネル２４の厚さ２４Ｔおよび同連結用床パネル２４の水下側に隣接する前記床パネル１５の床パネル本体３３の厚さ３３Ｔは、およそ、同連結用床パネル２４の水上側に隣接する前記床パネル１４の床パネル本体３２の厚さ３２Ｔから前記防水シ−ト５１の厚さ５１Ｔを減じた寸法以下に設定され、
前記連結用床パネル２４の水下側に隣接する前記床パネル１５の床パネル本体３３表面に貼付された防水シ−ト５１は、この床パネル本体３３の端部よりも前記連結用床パネル２４側に、およそ、この連結用床パネル２４の排水方向の長さ２４Ｗだけ延出しているとともに、前記連結用床パネル２４の水上側に隣接する前記床パネル１４の床パネル本体３２表面に貼付された防水シ−ト５１は、この床パネル本体３２の端部よりも前記連結用床パネル２４側に所定の長さだけ延出していること
を特徴とする。
この防水床４の構造は、主として建築物のバルコニ−などに設置されるものである。
【００１４】
この請求項５記載の発明によれば、排水方向Ｄに隣り合う床パネル１４，１５は、その間に連結用床パネル２４を挟んで連結され、連結用床パネル２４の水下側に隣接する床パネル１５の床パネル本体３３表面に貼付された防水シ−ト５１は、この床パネル本体３３の端部よりも連結用床パネル２４側に、およそ、この連結用床パネル２４の排水方向の長さ２４Ｗだけ延出しているとともに、連結用床パネル２４の水上側に隣接する前記床パネル１４の床パネル本体３２表面に貼付された防水シ−ト５１は、この床パネル本体３２の端部よりも連結用床パネル２４側に所定の長さだけ延出しているので、連結用床パネル２４の排水方向Ｄ両側に位置する床パネル本体３２，３３の端部より延出した防水シ−ト５１を、連結用床パネル２４の上面において重ね合わせることで、排水方向Ｄに隣り合う床パネル１４，１５の間の防水処理を簡便に行える。
また、連結用床パネル２４の厚さ２４Ｔおよび同連結用床パネル２４の水下側に隣接する床パネル１５の床パネル本体３３の厚さ３３Ｔは、同一の寸法に設定されているので、床パネル１５と連結用床パネル２４とを並べて設置する際、隣接する床パネル１５と連結用床パネル２４の高さ方向の位置を簡便に合わせることができ、防水床４の施工が簡略化される。
また、これら連結用床パネル２４の厚さ２４Ｔおよび同連結用床パネル２４の水下側に隣接する床パネル１５の床パネル本体３３の厚さ３３Ｔは、およそ、同連結用床パネル２４の水上側に隣接する床パネル１４の床パネル本体３２の厚さ３２Ｔから防水シ−ト５１の厚さ５１Ｔを減じた寸法以下に設定されているので、水上側の床パネル１４から水下側の床パネル１５に向かって、防水床４の厚さが徐々に小さくなり、連結用床パネル２４近傍における水勾配が、防水床４全体の水勾配よりも大きくなる。したがって、防水床４の防水性能を確実なものとすることができる。
【００１５】
【発明の実施の形態】
以下、図面を参照して、本発明の防水床の構造の実施の形態として、防水床１〜４の構造を詳細に説明する。
図１は、防水床１〜４の構造の概要を示す、縦断面図である。図２〜図５はそれぞれ、以下の第１〜第４の実施の形態に記載の防水床１〜４の構造を示す、縦断面図である。
【００１６】
各実施の形態に記載の防水床１〜３（４）の構造は、建築物のバルコニ−に設置されるものであって、図１に示すように、床パネル本体３１（３２，３３）と、この床パネル本体３１（３２，３３）表面に貼付された防水シ−ト５１とを備えてなる床パネル１１〜１３（１４，１５）を、水上から水下へと向かう排水方向Ｄに連続的な水勾配を成すように並列して構成されたものであって、排水方向Ｄに隣り合う床パネル１１〜１３（１４，１５）は、その間に連結用床パネル２１〜２３（２４）を挟んで連結されている。
【００１７】
第１〜第３の実施の形態に記載の防水床１〜３の構造では、図２〜図４にそれぞれ示すように、連結用床パネル２１〜２３の躯体を構成する連結用床パネル本体４１の厚さ４１Ｔは、およそ、床パネル本体３１の厚さ３１Ｔから前記防水シ−ト５１の厚さ５１Ｔを減じた寸法（３１Ｔ−５１Ｔ）に設定され、床パネル本体３１表面に貼付された防水シ−ト５１は、この床パネル本体３１の端部よりも連結用床パネル２１〜２３側に延出されている。
【００１８】
〔第１の実施の形態〕
本実施の形態の防水床１の構造の特徴は、図２に示すように、床パネル本体３１表面に貼付された防水シ−ト５１は、この床パネル本体３１の端部よりも前記連結用床パネル２１側に、この連結用床パネル２１の排水方向の長さ２１Ｗだけ延出されている点である。
【００１９】
〔第２の実施の形態〕
本実施の形態の防水床２の構造の特徴は、図３に示すように、連結用床パネル本体４１表面の水上側縁部および水下側縁部とに、それぞれ防水シ−ト（スペ−サ）５２が貼付されているとともに、床パネル本体３１表面に貼付された防水シ−ト５１は、この床パネル本体３１の端部よりも連結用床パネル２２側に、この連結用床パネル２２の排水方向の長さ２２Ｗから防水シ−ト５２の排水方向の長さ５２Ｗを減じた寸法だけ延出している点である。
ここで、防水シ−ト５２には、床パネル本体３１表面に貼付された防水シ−ト５１と同一のものを用いている。したがって、防水シ−ト５２の厚さ５２Ｔは、防水シ−ト５１の厚さ５１Ｔに等しい。
【００２０】
〔第３の実施の形態〕
本実施の形態の防水床３の構造では、図４に示すように、連結用床パネル本体２３表面の全面に防水シ−ト５１が貼付されているとともに、床パネル本体３１表面に貼付された防水シ−ト５１は、この床パネル本体３１の端部よりも前記連結用床パネル２３側に、およそ、この連結用床パネル２３の排水方向の長さ２３Ｗの半分（２３Ｗ／２）だけ延出している点である。
ここで、連結用床パネル２３の上面において、この連結用床パネル２３の排水方向Ｄ両側に位置する床パネル本体３１の端部より延出した防水シ−ト５１どうしの突合せ部分には、溶着処理５１Ｊが施されている。
【００２１】
〔第４の実施の形態〕
本実施の形態の防水床４の構造では、図５に示すように、連結用床パネル２４の厚さ２４Ｔおよび同連結用床パネル２４の水下側に隣接する床パネル１５の床パネル本体３３の厚さ３３Ｔが、同連結用床パネル２４の水上側に隣接する床パネル１４の床パネル本体３２の厚さ３２Ｔから防水シ−ト５１の厚さ５１Ｔの２倍を減じた寸法（３２Ｔ−５１Ｔ×２）に設定されている。
そして、連結用床パネル２４の排水方向Ｄ両側に隣接する床パネル１４，１５の床パネル本体３２，３３表面に貼付された防水シ−ト５１は、それぞれ、この床パネル本体３２，３３の端部よりも連結用床パネル２４側に、およそ、この連結用床パネル２４の排水方向の長さ２４Ｗだけ延出されている。
【００２２】
上記第１〜第３の実施の形態に記載の防水床１〜３の構造によれば、排水方向Ｄに隣り合う床パネル１１〜１３は、その間に連結用床パネル２１〜２３を挟んで連結され、連結用床パネル２１〜２３の躯体を構成する連結用床パネル本体４１の厚さ４１Ｔは、およそ、床パネル本体３１の厚さ３１Ｔから防水シ−ト５１の厚さ５１Ｔを減じた寸法（３１Ｔ−５１Ｔ）に設定され、また、床パネル本体３１表面に貼付された防水シ−ト５１は、この床パネル本体３１の端部よりも連結用床パネル２１〜２３側に延出しているので、連結用床パネル２１〜２３の排水方向Ｄ両側に位置する床パネル本体３１の端部より延出した防水シ−ト５１を、連結用床パネル本体４１の上面において重ね合わせることで、排水方向Ｄに隣り合う床パネル１１〜１３の間の防水処理を簡便に行える。
また、連結用床パネル本体４１の厚さ４１Ｔは、およそ、その排水方向Ｄ両側に位置する床パネル本体３１の厚さ３１Ｔから防水シ−ト５１の厚さ５１Ｔを減じた寸法（３１Ｔ−５１Ｔ）に設定されているので、上記のように連結用床パネル本体４１の上面において２枚の防水シ−ト５１を重ね合わせることで、防水床１〜３の表面をほぼ平滑に仕上げることができる。
【００２３】
また、第１の実施の形態に記載の防水床１の構造によれば、床パネル本体３１表面に貼付された防水シ−ト５１は、この床パネル本体３１の端部よりも連結用床パネル２１側に、およそ、この連結用床パネル２１の排水方向の長さ２１Ｗだけ延出しているので、連結用床パネル２１の構造を連結用床パネル本体４１のみとし、連結用床パネル本体４１上面の排水方向の長さ２１Ｗ全幅にわたって、連結用床パネル２１の排水方向Ｄ両側に位置する床パネル本体３１の端部より延出した２枚の防水シ−ト５１を重ね合わせることができる。
したがって、連結用床パネル２１が簡単な構造となるとともに、排水方向Ｄに隣り合う床パネル１１の間の防水処理を簡便に行うことができ、防水床１の材料費および施工費が小さくて済む。
【００２４】
また、第２の実施の形態に記載の防水床２の構造によれば、床パネル本体３１表面に貼付された防水シ−ト５１は、この床パネル本体３１の端部よりも連結用床パネル２２側に、およそ、この連結用床パネル２２の排水方向の長さ２２Ｗから防水シ−ト５２の排水方向の長さ５２Ｗを減じた寸法（２２Ｗ−５２Ｗ）だけ延出しているので、連結用床パネル本体４１上面のうち防水シ−ト５２が貼付されていない、幅（２２Ｗ−５２Ｗ×２）の部分にわたって、連結用床パネル２２の排水方向Ｄ両側に位置する床パネル本体３１の端部より延出した２枚の防水シ−ト５１を重ね合わせた状態で、防水床２の表面がほぼ平滑に仕上がる。
また、連結用床パネル本体４１表面の水上側縁部および水下側縁部とには、それぞれ防水シ−ト５１の厚さ５１Ｔとほぼ同じ厚さ５２Ｔに形成された防水シ−ト５２が貼付されているので、連結用床パネル２２の水上側縁部および水下側縁部の厚さ（４１Ｔ＋５２Ｔ）＝（４１Ｔ＋５１Ｔ）が、この排水方向Ｄ両側に位置する床パネル本体３１の厚さ３１Ｔと等しくなる。
したがって、床パネル１２と連結用床パネル２２とを並べて設置する際、隣接する床パネル１２と連結用床パネル２２の高さ方向の位置を簡便に合わせることができ、防水床２の施工が簡略化されるとともに、防水床２の表面の平滑性を高めることができる。
【００２５】
また、第３の実施の形態に記載の防水床３の構造によれば、連結用床パネル本体４１表面には、その全面に前記防水シ−ト５１が貼付され、床パネル本体３１表面に貼付された防水シ−ト５１は、この床パネル本体３１の端部よりも前記連結用床パネル２３側に、およそ、この連結用床パネル２３の排水方向の長さ２３Ｗの半分（２３Ｗ／２）だけ延出しているので、連結用床パネル本体４１表面の全面に貼付された防水シ−ト５１に、連結用床パネル２３の排水方向Ｄ両側に位置する床パネル本体３１の端部より延出した防水シ−ト５１をそれぞれ重ね合わせた状態で、防水床３の表面がほぼ平滑に仕上がる。
また、連結用床パネル本体４１表面には、その全面に前記防水シ−ト５１が貼付されているので、連結用床パネル２３の水上側縁部および水下側縁部の厚さ（４１Ｔ＋５２Ｔ）≒（４１Ｔ＋５１Ｔ）が、この排水方向Ｄ両側に位置する床パネル本体３１の厚さ３１Ｔとほぼ等しくなる。
したがって、床パネル１３と連結用床パネル２３とを並べて設置する際、隣接する床パネル１３と連結用床パネル２３の高さ方向の位置を簡便に合わせることができ、防水床３の施工が簡略化されるとともに、防水床３の表面の平滑性を高めることができる。
【００２６】
また、第４の実施の形態に記載の防水床４の構造によれば、排水方向Ｄに隣り合う床パネル１４，１５は、その間に連結用床パネル２４を挟んで連結され、連結用床パネル２４の排水方向Ｄ両側に隣接する床パネル１４，１５の床パネル本体３２，３３表面に貼付された防水シ−ト５１は、この床パネル本体３２，３３の端部よりも連結用床パネル２４側に、およそ、この連結用床パネル２４の排水方向の長さ２４Ｗだけ延出しているので、連結用床パネル２４の排水方向Ｄ両側に位置する床パネル本体３２，３３の端部より延出した防水シ−ト５１を、連結用床パネル２４の上面において重ね合わせることで、排水方向Ｄに隣り合う床パネル１４，１５の間の防水処理を簡便に行える。
また、連結用床パネル２４の厚さ２４Ｔおよび同連結用床パネル２４の水下側に隣接する床パネル１５の床パネル本体３３の厚さ３３Ｔは、同一の寸法に設定されているので、床パネル１５と連結用床パネル２４とを並べて設置する際、隣接する床パネル１５と連結用床パネル２４の高さ方向の位置を簡便に合わせることができ、防水床４の施工が簡略化される。
また、これら連結用床パネル２４の厚さ２４Ｔおよび同連結用床パネル２４の水下側に隣接する床パネル１５の床パネル本体３３の厚さ３３Ｔは、およそ、同連結用床パネル２４の水上側に隣接する床パネル１４の床パネル本体３２の厚さ３２Ｔから防水シ−ト５１の厚さ５１Ｔを減じた寸法以下に設定されているので、水上側の床パネル１４から水下側の床パネル１５に向かって、防水床４の厚さが徐々に小さくなり、連結用床パネル２４近傍における水勾配が、防水床４全体の水勾配よりも大きくなる。したがって、防水床４の防水性能を確実なものとすることができる。
【００２７】
なお、本発明は上記の各実施の形態に限定されることなく、本発明の主旨を逸脱しない範囲において、種々の改良並びに設計の変更を行ってもよい。
例えば、第２の実施の形態においては、スペ−サ５２として、防水シ−ト５１と同一の防水シ−トを用いているが、このスペ−サに、床パネル本体に貼付された防水シ−トの厚さとほぼ同じ厚さを持つ他の素材を用いてもよい。
また、第４の実施の形態では、連結用床パネル２４の厚さ２４Ｔおよび同連結用床パネル２４の水下側に隣接する床パネル１５の床パネル本体３３の厚さ３３Ｔは、同連結用床パネル２４の水上側に隣接する床パネル１４の床パネル本体３２の厚さ３２Ｔから防水シ−ト５１の厚さ５１Ｔの２倍を減じた寸法に設定されているが、連結用床パネルの水上側に隣接する床パネルの床パネル本体の厚さから防水シ−トの厚さを減じた寸法以下であれば、防水床表面に生じる段差を考慮しつつ所望の寸法に設定してよい。例えば、連結用床パネルの厚さおよび同連結用床パネルの水下側に隣接する床パネルの床パネル本体の厚さを、同連結用床パネルの水上側に隣接する床パネルの床パネル本体の厚さから防水シ−トの厚さを減じた寸法に設定すれば、連結用床パネルと同連結用床パネルの水上側に隣接する床パネルとの境界部分において、防水床表面に段差が生じなくなる。
その他、具体的な細部構造などについても適宜に変更可能であることは勿論である。
【００２８】
【発明の効果】
請求項１記載の発明によれば、排水方向に隣り合う床パネルは、その間に連結用床パネルを挟んで連結され、連結用床パネルの躯体を構成する連結用床パネル本体の厚さは、およそ、床パネル本体の厚さから防水シ−トの厚さを減じた寸法に設定され、また、床パネル本体表面に貼付された防水シ−トは、この床パネル本体の端部よりも連結用床パネル側に延出しているので、連結用床パネルの排水方向両側に位置する床パネル本体の端部より延出した防水シ−トを、連結用床パネル本体の上面において重ね合わせることで、排水方向に隣り合う床パネルの間の防水処理を簡便に行える。
また、連結用床パネル本体の厚さは、およそ、その排水方向両側に位置する床パネル本体の厚さから防水シ−トの厚さを減じた寸法に設定されているので、上記のように連結用床パネル本体の上面において２枚の防水シ−トを重ね合わせることで、防水床の表面をほぼ平滑に仕上げることができる。
【００２９】
請求項２記載の発明によれば、請求項１と同様の効果が得られるとともに、床パネル本体表面に貼付された防水シ−トは、この床パネル本体の端部よりも連結用床パネル側に、およそ、この連結用床パネルの排水方向の長さだけ延出しているので、連結用床パネルの構造を連結用床パネル本体のみとし、連結用床パネル本体上面の排水方向の長さ全幅にわたって、連結用床パネルの排水方向両側に位置する床パネル本体の端部より延出した２枚の防水シ−トを重ね合わせることができる。
したがって、連結用床パネルが簡単な構造となるとともに、排水方向に隣り合う床パネルの間の防水処理を簡便に行うことができ、防水床の材料費および施工費が小さくて済む。
【００３０】
請求項３記載の発明によれば、請求項１と同様の効果が得られるとともに、床パネル本体表面に貼付された防水シ−トは、この床パネル本体の端部よりも連結用床パネル側に、およそ、この連結用床パネルの排水方向の長さからスペ−サの排水方向の長さを減じた寸法だけ延出しているので、連結用床パネル本体上面のうちスペ−サが貼付されていない部分にわたって、連結用床パネルの排水方向両側に位置する床パネル本体の端部より延出した２枚の防水シ−トを重ね合わせた状態で、防水床の表面がほぼ平滑に仕上がる。
また、連結用床パネル本体表面の水上側縁部および水下側縁部とには、それぞれ防水シ−トの厚さとほぼ同じ厚さに形成されたスペ−サが貼付されているので、連結用床パネルの水上側縁部および水下側縁部の厚さが、この排水方向両側に位置する床パネル本体の厚さとほぼ等しくなる。
したがって、床パネルと連結用床パネルとを並べて設置する際、隣接する床パネルと連結用床パネルの高さ方向の位置を簡便に合わせることができ、防水床の施工が簡略化されるとともに、防水床の表面の平滑性を高めることができる。
【００３１】
請求項４記載の発明によれば、請求項１と同様の効果が得られるとともに、連結用床パネル本体表面には、その全面に前記防水シ−トが貼付され、床パネル本体表面に貼付された防水シ−トは、この床パネル本体の端部よりも前記連結用床パネル側に、およそ、この連結用床パネルの排水方向の長さの半分だけ延出しているので、連結用床パネル本体表面の全面に貼付された防水シ−トに、連結用床パネルの排水方向両側に位置する床パネル本体の端部より延出した防水シ−トをそれぞれ重ね合わせた状態で、防水床の表面がほぼ平滑に仕上がる。
また、連結用床パネル本体表面には、その全面に前記防水シ−トが貼付されているので、連結用床パネルの水上側縁部および水下側縁部の厚さが、この排水方向両側に位置する床パネル本体の厚さとほぼ等しくなる。
したがって、床パネルと連結用床パネルとを並べて設置する際、隣接する床パネルと連結用床パネルの高さ方向の位置を簡便に合わせることができ、防水床の施工が簡略化されるとともに、防水床の表面の平滑性を高めることができる。
【００３２】
請求項５記載の発明によれば、排水方向に隣り合う床パネルは、その間に連結用床パネルを挟んで連結され、連結用床パネルの水下側に隣接する床パネルの床パネル本体表面に貼付された防水シ−トは、この床パネル本体の端部よりも連結用床パネル側に、およそ、この連結用床パネルの排水方向の長さだけ延出しているとともに、連結用床パネルの水上側に隣接する前記床パネルの床パネル本体表面に貼付された防水シ−トは、この床パネル本体の端部よりも連結用床パネル側に所定の長さだけ延出しているので、連結用床パネルの排水方向両側に位置する床パネル本体の端部より延出した防水シ−トを、連結用床パネルの上面において重ね合わせることで、排水方向に隣り合う床パネルの間の防水処理を簡便に行える。
また、連結用床パネルの厚さおよび同連結用床パネルの水下側に隣接する床パネルの床パネル本体の厚さは、同一の寸法に設定されているので、床パネルと連結用床パネルとを並べて設置する際、隣接する床パネルと連結用床パネルの高さ方向の位置を簡便に合わせることができ、防水床の施工が簡略化される。
また、これら連結用床パネルの厚さおよび同連結用床パネルの水下側に隣接する床パネルの床パネル本体の厚さは、およそ、同連結用床パネルの水上側に隣接する床パネルの床パネル本体の厚さから防水シ−トの厚さを減じた寸法以下に設定されているので、水上側の床パネルから水下側の床パネルに向かって、防水床の厚さが徐々に小さくなり、連結用床パネル近傍における水勾配が、防水床全体の水勾配よりも大きくなる。したがって、防水床の防水性能を確実なものとすることができる。
【図面の簡単な説明】
【図１】本発明の防水床の構造の概要を示す、縦断面図である。
【図２】本発明の防水床の構造の一例を示す、縦断面図である。
【図３】本発明の防水床の構造の他の一例を示す、縦断面図である。
【図４】本発明の防水床の構造の他の一例を示す、縦断面図である。
【図５】本発明の防水床の構造の他の一例を示す、縦断面図である。
【符号の説明】
１〜４              防水床
１１〜１５          床パネル
２１〜２４          連結用床パネル
２４Ｔ              連結用床パネルの厚さ
３１〜３３          床パネル本体
３１Ｔ〜３３Ｔ      床パネル本体の厚さ
４１                連結用床パネル本体
４１Ｔ              連結用床パネル本体の厚さ
２１Ｗ〜２４Ｗ      連結用床パネルの排水方向の長さ
５１                防水シ−ト
５１Ｔ              防水シ−トの厚さ
５２                スペ−サ（防水シ−ト）
５２Ｔ              スペ−サ（防水シ−ト）の厚さ
５２Ｗ              スペ−サ（防水シ−ト）の排水方向の長さ
Ｄ                  排水方向
【図１】
0004519361.tif 000002
【図２】
0004519361.tif 000003
【図３】
0004519361.tif 000004
【図４】
0004519361.tif 000005
【図５】
0004519361.tif 000006